(57)【要約】      （修正有）【課題】防火性能の高い建具を提供する。【解決手段】グレモンピン５４を備え、グレモンピン５４を上下方向に移動させるスライド部材５２が設けられた戸体２０と、スライド部材５２のスライド動作によりグレモンピン５４が係合する係合部５６ｂを有するグレモン受５６が設けられた枠体１０と、を備える建具であって、戸体２０の枠体１０と対向する枠対向面であって、スライド部材５２のスライド部材枠対向面５３と、スライド部材５２の位置しない部位の領域面の双方に、加熱発泡材７０が設けられている。【選択図】図４
2016029239.tif 000002
【特許請求の範囲】
【請求項１】
グレモンピンを備え、該グレモンピンを上下方向に移動させるスライド部材が設けられた戸体と、
前記スライド部材のスライド動作により前記グレモンピンが係合する係合部を有するグレモン受が設けられた枠体と、を備える建具であって、
前記戸体の前記枠体と対向する枠対向面であって、スライド部材のスライド部材枠対向面と、前記スライド部材の位置しない部位の領域面の双方に、加熱発泡材が設けられていることを特徴とする建具。
【請求項２】
請求項１に記載の建具であって、
前記領域面として、前記スライド部材の上方に位置する上方領域面及び前記スライド部材の下方に位置する下方領域面とを備え、
前記上方領域面と前記下方領域面の双方に、前記加熱発泡材が設けられていることを特徴とする建具。
【請求項３】
請求項１又は請求項２に記載の建具であって、
前記領域面として、
前記スライド部材のスライド動作により、前記スライド部材の背面に隠れたり露出したりする第一領域面と、前記スライド部材のスライド動作にかかわらず常に露出している第二領域面と、を有し、
前記加熱発泡材は第二領域面の全部又は一部のみに設けられていることを特徴とする建具。
【発明の詳細な説明】
【技術分野】
【０００１】
本発明は、建具に関する。
【背景技術】
【０００２】
扉等の戸体と枠体とを有する建具は、既によく知られている。このような建具の中には、グレモンピンを備えたスライド部材が戸体に設けられ、このスライド部材の上下方向へのスライド動作により当該グレモンピンを上下方向に移動した際、当該グレモンピンと係合する係合部を有するグレモン受が枠体に設けられたものがある。
【先行技術文献】
【特許文献】
【０００３】
【特許文献１】特開平９−１１２１１１号公報
【発明の概要】
【発明が解決しようとする課題】
【０００４】
ところで、前述した戸体は、戸体が閉じた際にグレモン受が取り付けられた枠体の内側面と対向する枠対向面として、スライド部材のスライド部材枠対向面を備えており、当該スライド部材枠対向面に関し、以下の課題があった。
【０００５】
すなわち、従来は、火災の際に、火炎が、スライド部材枠対向面と内側面との間の隙間を容易に通過してしまう問題が生じていた。
【０００６】
さらに、火災の際にスライド部材に上下方向に沿った熱伸びが生じることに起因して、グレモンピンが移動し係合部との係合が外れてしまう事象が発生していた。かかる際には、戸体の枠体への拘束が解除されてしまい、火災の貫通孔を形成してしまう問題が生じていた。
【０００７】
本発明は、かかる課題に鑑みてなされたものであり、その目的とするところは、防火性能が高い建具を実現することにある。
【課題を解決するための手段】
【０００８】
かかる目的を達成するために本発明の建具は、グレモンピンを備え、該グレモンピンを上下方向に移動させるスライド部材が設けられた戸体と、
前記スライド部材のスライド動作により前記グレモンピンが係合する係合部を有するグレモン受が設けられた枠体と、を備える建具であって、
前記戸体の前記枠体と対向する枠対向面であって、スライド部材のスライド部材枠対向面と、前記スライド部材の位置しない部位の領域面の双方に、加熱発泡材が設けられていることを特徴とする建具である。
【０００９】
このような建具によれば、スライド部材枠対向面に加熱発泡材を設けたため、火災の際に、スライド部材枠対向面と枠体の内側面との間の隙間を火炎が通過してしまう問題を適切に抑えることが可能となる。また、スライド部材の位置しない部位の領域面に加熱発泡材を設けたため、火災の際に当該加熱発泡材は枠体の内側面へ向かって膨張する。そのため、膨張した加熱発泡材がスライド部材の上下方向の熱伸びをブロックすることができる。したがって、グレモンピンの係合が外れることが回避され、火災の貫通孔を形成してしまう問題を適切に抑えることが可能となる。
【００１０】
かかる建具であって、前記領域面として、前記スライド部材の上方に位置する上方領域面及び前記スライド部材の下方に位置する下方領域面とを備え、
前記上方領域面と前記下方領域面の双方に、前記加熱発泡材が設けられていることが望ましい。
【００１１】
このような建具によれば、火災の際に、縦框の上端部及び下端部の部位双方において、上方領域面（下方領域面）と内側面との間の隙間を火炎が通過してしまう問題を適切に抑えることが可能となる。
【００１２】
かかる建具であって、前記領域面として、
前記スライド部材のスライド動作により、前記スライド部材の背面に隠れたり露出したりする第一領域面と、前記スライド部材のスライド動作にかかわらず常に露出している第二領域面と、を有し、
前記加熱発泡材は第二領域面の全部又は一部のみに設けられていることが望ましい。
【００１３】
このような建具によれば、加熱発泡材の厚み調整や設置作業が簡便になる。
【発明の効果】
【００１４】
本発明によれば、防火性能が高い建具を実現することができる。
【図面の簡単な説明】
【００１５】
【図１】建具１の正面模式図である。
【図２】建具１の縦断面図である。
【図３】建具１の横断面図である。
【図４】グレモン施錠機構５０を説明するための説明図である。
【図５】スライド部材枠対向面５３と上下方向のスライド部材の位置しない部位の領域面６０の双方に、加熱発泡材７０が設けられている様子を示した戸先框２１の上部斜視図である。
【図６】スライド部材枠対向面５３と上下方向のスライド部材の位置しない部位の領域面６０の双方に、加熱発泡材７０が設けられている様子を示した戸先框２１の下部斜視図である。
【発明を実施するための形態】
【００１６】
＝＝＝本実施の形態に係る建具１について＝＝＝
以下、本発明の一実施形態に係る建具について図１乃至図３を参照して説明する。図１は、枠体１０に扉２０が設けられた建具１の正面模式図である。図２は、建具１（図１）の縦断面図である。図３は、建具１（図１）の横断面図である。
【００１７】
本実施形態の建具１は、図１、図２、図３に示すように、矩形状に枠組みされて開口を形成する枠体１０と、枠体１０に回動自在に支持されて開口を閉塞自在な扉２０とを備えている。
【００１８】
以下の説明においては、建具１が建物等に取り付けられた状態において、上下となる方向を上下方向、左右となる方向を左右方向、室内外方向である奥行き方向を見込み方向として示す。
【００１９】
本実施形態の建具１は、上下の上枠１１及び下枠１２と左右の縦枠１３とが枠組みされた四方枠としての枠体１０と、一方の縦枠１３側にて回動自在に支持され、回動することにより枠体１０にて形成される開口を開閉可能な扉２０と、を有している。
【００２０】
上枠１１、下枠１２、左右の縦枠１３は、いずれも室外側に配置されるアルミニウム製の押出成形部材でなる外枠部１１ａ、外枠部１２ａ、外枠部１３ａと、外枠部１１ａ、外枠部１２ａ、外枠部１３ａの室内側に取り付けられる合成樹脂製の押出成形部材でなる内枠材１１ｂ、内枠材１２ｂ、内枠材１３ｂと、を有している。外枠部１１ａ、外枠部１２ａ、外枠部１３ａは、いずれも長手方向に貫通する枠中空部１１ｃ、枠中空部１２ｃ、枠中空部１３ｃを有している。
【００２１】
扉２０は、上下方向に延びて配置される戸先框２１及び吊り元框２２から成り、これらの上端部と下端部間に上下一対の上框２４及び下框２５が架設され矩形状に框組みされた框体２３と、框体２３に囲まれた領域を塞ぐように設けられた複層ガラス３とを有している。なお、吊り元框２２は一方の縦枠１３側にてヒンジ等の機構により回動自在に支持されている。
【００２２】
戸先框２１、吊り元框２２、上框２４、下框２５は、いずれも室外側に配置されてアルミニウム製の押出成形部材でなる外框部２１ａ、外框部２２ａ、外框部２４ａ、外框部２５ａと、外框部２１ａ、外框部２２ａ、外框部２４ａ、外框部２５ａの室内側に取り付けられる合成樹脂製の押出成形部材でなる内框材２１ｂ、内框材２２ｂ、内框材２４ｂ、内框材２５ｂと、を有しアルミ樹脂複合の部材となっている。
【００２３】
外框部２１ａ、外框部２２ａ、外框部２４ａ、外框部２５ａは、いずれも長手方向に貫通する框中空部２１ｃ、框中空部２２ｃ、框中空部２４ｃ、框中空部２５ｃを有している。また、内框材２１ｂ、内框材２２ｂも、長手方向に貫通する框中空部２１ｄ、框中空部２２ｄ、框中空部２４ｄ、框中空部２５ｄを有している。
【００２４】
さらに、外框部２１ａ、外框部２２ａ、外框部２４ａ、外框部２５ａと内框材２１ｂ、内框材２２ｂ、框中空部２４ｃ、框中空部２５ｃは、いずれも複層ガラス３の方へ延出した延出部を備えており、この延出部により、複層ガラス３を呑み込むガラス呑み込み溝３０（所謂ガラス開口部）が構成されている。
【００２５】
複層ガラス３は、外側の網入りガラス４と内側のガラス５とが見込み方向において間隔を隔てて対面し、ガラス４とガラス５の上下方向と左右方向の内周端には、内部に乾燥剤が封入されたスペーサー６が設けられている。そして、スペーサー６は、不図示のシールにより、ガラス４とガラス５の各々に接着されている。
【００２６】
また、扉２０の戸先框２１には、ハンドル４０が備えられている、このハンドル４０は、上下方向において、戸先框２１の略中央に設けられている。また、ハンドル４０は、室内側と室外側にそれぞれ備えられ、扉２０が閉じた状態でラッチ４２が他方の縦枠１３に設けられたラッチ受４４に係合して錠機構と成っている。
【００２７】
扉２０が閉じた施錠状態で、ハンドル４０が下方向（図１において、下矢印で示す）に操作されると、ラッチ受４４（図４の右上図参照）に係合していたラッチ４２（図４の左上図及び中央上図参照）が、扉２０側へ後退して当該係合が外れる解錠状態となっている。そして、室内外側において、ハンドル４０が下方向に操作されたかかる状態で、扉２０が開くこととなる。
【００２８】
また、本実施の形態に係るハンドル４０は、上記とは異なる他の機能を有している。すなわち、本実施の形態においては、グレモン施錠機構５０（つまり、グレモン錠）が備えられており、ハンドル４０が上方向（図１において、上矢印で示す）に操作されると、グレモン施錠機構５０が作動するようになっている。当該グレモン施錠機構５０については、後述する。
【００２９】
＝＝＝本実施の形態に係るグレモン施錠機構５０について＝＝＝
本実施の形態に係るグレモン施錠機構５０について、図４乃至図６を用いて説明する。図４は、グレモン施錠機構５０を説明するための説明図である。図５は、戸先框２１の縦枠１３と対向する枠対向面にスライド部材が取付けられ、このスライド部材の縦枠１３と対向するスライド部材枠対向面５３と、この上下方向のスライド部材の位置しない部位の領域面６０の双方に、加熱発泡材７０が設けられている様子を示した戸先框２１の上部斜視図である。図６は、スライド部材枠対向面５３と戸先框２１の縦枠１３と対向する枠対向面の上下方向のスライド部材の位置しない部位の領域面６０の双方に、加熱発泡材７０が設けられている様子を示した戸先框２１の下部斜視図である。
【００３０】
なお、図４の左下図（中央下図、右下図）には、左上図（中央上図、右上図）に対応した断面図が表されている。また、図４の左上図及び中央上図には、扉２０の枠対向面（見込み方向に沿った面）が、図４の右上図には、枠体１０の内側面１４が、それぞれ示されている。また、図４の左図には、解錠時の扉２０の状態を、図４の中央図には、施錠時の扉２０の状態を、それぞれ表している。また、図４の左図及び中央図においては、ハンドル４０の記載を省略している。
【００３１】
グレモン施錠機構５０は、不図示の変換機構と、スライド部材５２と、グレモンピン５４と、グレモン受５６と、を備えている。グレモン施錠機構５０は、枠体１０側と扉２０側に跨がっており、変換機構とスライド部材５２とグレモンピン５４は、扉２０側に、グレモン受５６は、枠体１０側に、それぞれ設けられている。
【００３２】
変換機構は、戸先框２１に設けられ、ハンドル４０の回動動作をスライド部材５２の直進動作へ変換する機構である。この変換機構により、ハンドル４０が上方へ操作されると、スライド部材５２が上方向へ移動するようになっている。
【００３３】
スライド部材５２は、グレモンピン５４を備え、上下方向にスライド（直進移動）することによりグレモンピン５４を上下方向に移動させるためのものである。このスライド部材５２は、アルミニウム製の押出成形部材である。
【００３４】
スライド部材５２は、戸先框２１のグレモン受５６が設けられた縦枠１３と対向する枠対向面に設けられている。すなわち、図４の左下図に示すように、戸先框２１、具体的には、前述したアルミニウム製の外框部２１ａは、枠対向面にスライド部材５２を収容するためのコの字形状の収容溝３２を備えており、この収容溝３２内にスライド部材５２が上下方向にスライド自在に収容されている。
【００３５】
また、図４の左下図、図５、及び、図６に示すように、スライド部材５２は、扉２０が閉じた際に枠体１０の戸先框２１と対向する縦枠１３の内側面１４に対向するスライド部材枠対向面５３を有している。このスライド部材枠対向面５３は、扉２０の枠対向面であり、扉２０が開いた際には、視認可能となる可視面となっている。
【００３６】
スライド部材５２は、戸先框２１の上端よりもやや下方の位置（図４の左上図において、符号Ａで示す）から下端よりもやや上方の位置（図４の左上図において、符号Ｂで示す）に亘って設けられている。すなわち、スライド部材５２の上下方向における長さは、戸先框２１の上下方向における長さよりも短くなっている。
【００３７】
そのため、スライド部材５２の上側（位置Ａの上側）と下側（位置Ｂの下側）においては、収容溝３２の底部３２ａが外部に露出した状態となっている。すなわち、当該底部３２ａは、スライド部材枠対向面５３と上下方向において隣り合う上下方向のスライド部材の位置しない部位の領域面６０となっており、この上下方向の領域面６０も、扉２０が閉じた際に枠体１０の内側面１４と対向する枠対向面、かつ、扉２０が開いた際には視認可能となる可視面となっている。
【００３８】
なお、上下方向の領域面６０は、スライド部材枠対向面５３と面一となってはいない。すなわち、上下方向の領域面６０の内側面１４との距離は、スライド部材枠対向面５３の内側面１４との距離よりも大きくなって、双方の面は互いに段違いの面となっている。なお、本実施の形態においては、上下方向の領域面６０として、スライド部材５２の上方に位置する上方領域面６０ａとスライド部材５２の下方に位置する下方領域面６０ｂとを備えている。
【００３９】
スライド部材５２には、グレモンピン５４が固定されている。このグレモンピン５４は、スライド部材５２の上方位置及び下方位置に、それぞれ設けられている。グレモンピン５４は、スライド部材枠対向面５３から枠体１０の方向へ向かって突出しており、グレモン受５６の穴部５６ａに入り込んでいる。
【００４０】
枠体１０の内側面１４に設けられたグレモン受５６には、スライド部材５２のスライド動作によりグレモンピン５４が移動した際にグレモンピン５４と係合する係合部５６ｂが備えられている。すなわち、図４の左図に示した状態からスライド部材５２が上方へ移動すると、グレモンピン５４は、穴部５６ａの幅広部分から幅狭部分へ移動する（図４の中央図参照）。そして、当該幅狭部分を形成する係合部５６ｂにグレモンピン５４が係合し、扉２０が施錠されるようになっている。
【００４１】
＜＜＜加熱発泡材７０について＞＞＞
本実施の形態においては、図５及び図６に示すように、前述したスライド部材枠対向面５３と前述した上下方向の領域面６０の双方に、加熱発泡材７０が貼付して設けられている（なお、ビス等の固着具で固定しても良い）。この加熱発泡材７０は、火災の際に火炎に晒されると膨張して、その体積が大きくなる。そして、このことにより、隙間を埋め、火炎の通り道を塞ぐことができる。
【００４２】
従来は、スライド部材枠対向面５３に、加熱発泡材７０が設けられていなかった。そのため、火災の際に、火炎が、扉２０の縦枠１３と対向する枠対向面に設けたスライド部材５２のスライド部材枠対向面５３と枠体１０の戸先框２１と対向する縦枠１３の内側面１４との間の隙間を容易に通過してしまう問題が生じていた。
【００４３】
さらに、火災の際に上下方向に沿った熱伸びがスライド部材５２に生じることに起因して、グレモン受５６の前記幅狭部分へ位置していたグレモンピン５４が前記幅広部分へ移動し係合が外れてしまう事象が発生していた。かかる際には、扉２０の枠体１０への拘束が解除されてしまい、火災の貫通孔を形成してしまう問題が生じていた。
【００４４】
これに対し、本実施の形態においては、スライド部材枠対向面５３に加熱発泡材７０を設けたため、火災の際に、スライド部材枠対向面５３と内側面１４との間の隙間を火炎が通過してしまう問題を適切に抑えることが可能となる。
【００４５】
また、上下方向のスライド部材の位置しない部位の領域面６０に加熱発泡材７０を設けたため、火災の際に当該加熱発泡材７０は枠体１０の内側面１４へ向かって膨張する。そのため、膨張した加熱発泡材７０がスライド部材５２の上下方向の熱伸びをブロックすることができる。したがって、グレモンピン５４の係合が外れることが回避され、火災の貫通孔を形成してしまう問題を適切に抑えることが可能となる。
【００４６】
また、本実施の形態においては、図５及び図６に示すように、上方スライド部材の位置しない部位の領域面６０ａと下方スライド部材の位置しない部位の領域面６０ｂの双方に、加熱発泡材７０を設けることとした。そのため、火災の際に、戸先框２１と戸先框２１と対向する縦枠１３の上方位置及び下方位置の双方において、上下方領域面６０ａ、６０ｂと内側面１４との間の隙間を火炎が通過してしまう問題を適切に抑えることが可能となる。
【００４７】
なお、本実施の形態においては、図５及び図６に示すように、グレモンピン５４やラッチ４２等を収容するラッチ収容部４３との物理的干渉を避けるように、６箇所に分けて、スライド部材枠対向面５３に、加熱発泡材７０が貼られている。また、上方領域面６０ａと下方領域面６０ｂには、それぞれ１箇所ずつ、加熱発泡材７０が貼られている。
【００４８】
また、図４に示すように、上下方向の領域面６０としては、スライド部材５２のスライド動作により、スライド部材５２の背面に隠れたり露出したりする上下方向の第一領域面６０ｃと、スライド部材５２のスライド動作にかかわらず常に露出している上下方向の第二領域面６０ｄと、が設けられているが、本実施の形態においては、第一領域面６０ｃ及び第二領域面６０ｄのうちの、第二領域面６０ｄのみに加熱発泡材７０が設けられている。なお、加熱発泡材７０は、第二領域面６０ｄの全部に設けられていてもよいし、第二領域面６０ｄの一部に設けられていてもよい。
【００４９】
また、加熱発泡材７０は、いずれも、平面視において、長辺方向が上下方向に沿った矩形状を有している。また、短辺方向における加熱発泡材７０の長さ（すなわち、加熱発泡材７０の幅）は、スライド部材枠対向面５３や領域面６０の幅（見込み方向における長さ）と略一致している。
【００５０】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５１】
上記においては、戸体として扉２０を例に挙げたがこれに限定されるものではない。例えば、障子や窓であってもよい。
【００５２】
また、上記実施の形態においては、第一領域面６０ｃ及び第二領域面６０ｄのうちの、第二領域面６０ｄのみに加熱発泡材７０が設けられており、第一領域面６０ｃには加熱発泡材７０が設けられていないこととした。しかしながら、これに限定されるものではなく、例えば、第一領域面６０ｃ及び第二領域面６０ｄの双方に加熱発泡材７０が設けられていることとしてもよい。なお、加熱発泡材７０は、第一領域面６０ｃの全部に設けられていてもよいし、第一領域面６０ｃの一部に設けられていてもよい。
【００５３】
第二領域面６０ｄのみに加熱発泡材７０を設けて、第一領域面６０ｃには設けない場合には、スライド部材５２がスライドする際に第一領域面６０ｃに設けた加熱発泡材７０がスライド部材５２と接触することを気にする必要がなくなるので、加熱発泡材７０の厚み調整や設置作業が簡便になる点で望ましい。
【００５４】
一方で、第一領域面６０ｃにも加熱発泡材７０を設ける場合には、スライド部材５２がどの位置に位置していても、一様に高い防火性能が発揮される点で望ましい。
【符号の説明】
【００５５】
１  建具
１０  枠体、１４  内側面
２０  扉
３２  収容溝、３２ａ  底部
５２  スライド部材、５３  スライド部材枠対向面
５４  グレモンピン
５６  グレモン受、５６ｂ  係合部
６０  領域面
６０ａ  上方領域面、６０ｂ  下方領域面
６０ｃ  第一領域面、６０ｄ  第二領域面
７０  加熱発泡材
【図１】
2016029239.tif 000003
【図２】
2016029239.tif 000004
【図３】
2016029239.tif 000005
【図４】
2016029239.tif 000006
【図５】
2016029239.tif 000007
【図６】
2016029239.tif 000008